(57)【要約】  通信用移動体端末を備えるユーザに情報を配信するための方法（１０）。この方法（１０）は：  −端末の地理的位置を表す情報を提供するために、通信用移動体端末のジオロケーションを実施するステップ（４０５）；  −通信用移動体端末が、端末の地理的位置を表す情報を、遠距離通信ネットワークによってアクセス可能なサーバに通信するステップ（４１０）；  −端末の位置を表す情報と、各情報に関連付けられた、事前に定義された位置データとに従って、サーバが保存している少なくとも１つの情報を選択するステップ（４１５）；  −通信用移動体端末のユーザのプロフィールに従って、選択された各情報をフィルタリングするステップ（４２０）；  −フィルタリングされた情報の全てを二部グラフによってソートするステップ（４２５）；  −ソートされた情報をサーバから通信用移動体端末に伝送するステップ（４３０）；  −通信用移動体端末のスクリーン上に、伝送された少なくとも１つの情報を表示するステップ（４３５）；  −ユーザと端末との対話に従って、表示された各情報にユーザが適用する処理を決定するステップ（４４０）；及び  −表示された各情報にユーザが適用した処理に従って、二部グラフによって学習するステップ（４４５）を繰り返し含む。【選択図】図１
2015535102.tif 000002
【特許請求の範囲】
【請求項１】
通信用移動体端末を備えるユーザに情報を配信するための方法（１０）であって、
前記方法（１０）は：
−前記端末の地理的位置を表す情報を提供するために、前記通信用移動体端末のジオロケーションを実施するステップ（４０５）；
−前記通信用移動体端末が、前記端末の前記地理的位置を表す前記情報を、遠距離通信ネットワークによってアクセス可能なサーバに通信するステップ（４１０）；
−前記端末の前記位置を表す前記情報と、各前記情報に関連付けられた、事前に定義された位置データとに従って、前記サーバが保存している少なくとも１つの情報を選択するステップ（４１５）；
−前記通信用移動体端末のユーザのプロフィールに従って、選択された各前記情報をフィルタリングするステップ（４２０）；
−フィルタリングされた前記情報の全てを二部グラフによってソートするステップ（４２５）；
−ソートされた前記情報を前記サーバから前記通信用移動体端末に伝送するステップ（４３０）；
−前記通信用移動体端末のスクリーン上に、伝送された少なくとも１つの前記情報を表示するステップ（４３５）；
−前記ユーザと前記端末との対話に従って、表示された各前記情報に前記ユーザが適用する処理を決定するステップ（４４０）；及び
−表示された各前記情報に前記ユーザが適用した処理に従って、前記二部グラフによって学習するステップ（４４５）
を繰り返し含むことを特徴とする、方法（１０）。
【請求項２】
前記表示ステップ（４３５）中に表示される各前記情報は、空間座標と関連付けられ、前記情報と関連付けられた前記空間座標に基づいてマップ上に表示される、請求項１に記載の方法（１０）。
【請求項３】
前記表示ステップ（４３５）中に表示される各前記情報は、前記情報と関連付けられた前記空間座標に基づいて、前記通信用移動体端末の前記スクリーン上に拡張現実表示される、請求項１又は２に記載の方法（１０）。
【請求項４】
前記選択ステップ（４１５）中に選択される前記情報は、関連付けられた空間座標が、前記通信ステップ（４１０）において伝送される前記地理的位置から、事前に定義された最大地理的距離に位置する情報に限定される、請求項１〜３のいずれか１項に記載の方法（１０）。
【請求項５】
前記ジオロケーションステップ（４０５）は、前記ユーザが指定した少なくとも１つの場所を表す情報を供給し、
前記選択ステップ（４１５）は、前記ユーザが指定した各場所を表す前記情報に基づいて実施される、請求項１〜４のいずれか１項に記載の方法（１０）。
【請求項６】
前記選択ステップ（４１５）中に選択される前記情報は、関連付けられた空間座標が、前記通信ステップ（４１０）において伝送される前記地理的座標に最も近接している、事前に定義された個数に限定される、請求項１〜５のいずれか１項に記載の方法（１０）。
【請求項７】
前記ジオロケーションステップ（４０５）の上流に、前記ユーザが前記ユーザの心的状態を定義するステップ（４５５）を含み、
前記ステップ（４５５）のために、前記サーバが保存している前記情報は、前記選択ステップ（４１５）中の前記情報の前記選択に関連付けられた、前記選択を実施するために使用される心的状態インジケータを含む、請求項１〜６のいずれか１項に記載の方法（１０）。
【請求項８】
前記ジオロケーションステップ（４０５）の上流に、前記ユーザが、配信される情報のカテゴリを定義するステップ（４５０）を含み、
前記ステップ（４５５）のために、前記サーバが保存している前記情報は、前記選択ステップ（４１５）中の前記情報の前記選択に関連付けられた、前記選択を実施するために使用されるカテゴリのインジケータを含む、請求項１〜７のいずれか１項に記載の方法（１０）。
【請求項９】
前記表示ステップ（４３５）中に前記通信用移動体端末の前記スクリーン上に表示される前記情報は、前記二部グラフの前記情報のソートの結果に従って決定された関連度のインジケータを含む、請求項１〜８のいずれか１項に記載の方法（１０）。
【請求項１０】
前記選択ステップ（４１５）中に選択された少なくとも１つの前記情報は、前記端末の前記位置を表す前記情報に基づいて検出された天候関連データに基づいて選択される、請求項１〜９のいずれか１項に記載の方法（１０）。
【請求項１１】
前記選択ステップ（４１５）中に選択された少なくとも１つの前記情報は、前記端末の前記位置を表す前記情報に基づいて検出されたタイムスタンプに基づいて選択される、請求項１〜１０のいずれか１項に記載の方法（１０）。
【請求項１２】
事前に決定される前記タイムスタンプデータは、時刻を含む、請求項１１に記載の方法（１０）。
【請求項１３】
事前に決定される前記タイムスタンプデータは、曜日を含む、請求項１１又は１２に記載の方法（１０）。
【請求項１４】
事前に決定される前記タイムスタンプデータは、日付を含む、請求項１１〜１３のいずれか１項に記載の方法（１０）。
【請求項１５】
事前に決定される前記タイムスタンプデータは、一般的な祝事の日付を含む、請求項１１〜１４のいずれか１項に記載の方法（１０）。
【請求項１６】
事前に決定される前記タイムスタンプデータは、記録されている個人データに基づいて算出された個人的なイベントを含む、請求項１１〜１５のいずれか１項に記載の方法（１０）。
【請求項１７】
通信用移動体端末（３０５）を備えるユーザに情報を配信するためのデバイス（４０）であって、
前記デバイス（４０）は：
−前記端末の地理的位置を表す情報を提供するよう構成された、前記通信用移動体端末（３０５）のジオロケーションを実施する手段（３１０）；
−前記通信用移動体端末（３０５）によって、前記端末の前記地理的位置を表す前記情報を、遠距離通信ネットワーク（３２０）によってアクセス可能なサーバ（３２５）に通信する手段（３１５）；及び
−前記サーバ（３２５）
を備え、
前記サーバ（３２５）は：
−前記端末（３０５）の前記位置を表す前記情報と、各前記情報に関連付けられた、事前に定義された位置データとに従って、保存されている少なくとも１つの情報を選択する手段（３３０）；
−前記通信用移動体端末（３０５）のユーザのプロフィールに従って、選択された各前記情報をフィルタリングする手段（３６０）；
−フィルタリングされた前記情報をソートするよう構成された二部グラフ（３４５）；
−ソートされた前記情報を前記通信用移動体端末に伝送する手段（３３５）；
−前記通信用移動体端末のスクリーン上に、伝送された少なくとも１つの前記情報を表示する手段（３５５）；及び
−前記ユーザと前記端末（３０５）との対話に従って、表示された各前記情報に前記ユーザが適用する処理を決定する手段（３５０）
を備え、
前記二部グラフ（３４５）は、表示された各前記情報に前記ユーザが適用した処理に従って学習を実施するよう構成される
ことを特徴とする、デバイス（４０）。
【発明の詳細な説明】
【技術分野】
【０００１】
本発明は、通信用移動体端末を備えるユーザに情報を配信するための方法に関する。この方法は特に、販売促進及び商業的オファーの配信に応用される。
【背景技術】
【０００２】
この文書の残りの部分において、「ジオロケーション（ｇｅｏｌｏｃａｔｉｏｎ）」は、例えば移動体遠距離通信ネットワークのアンテナ間又は軌道衛星間での三角測量に基づいて、対象の地理的座標を取得する方法を意味する。
【０００３】
発行者にとっての販売促進又は広告キャンペーンのコストは、このようなキャンペーンの露出量に左右される。しかしながら、このようなキャンペーンの効力は、販売促進又は広告オファーの主題に反応する標的への上記キャンペーンの露出に起因する。このような制約により、発行者には、自身のオファーの受容者に対する効果的な標的化から利益を得る必要が生じる。正確な標的化は同時に、上記販売促進キャンペーンによって発生するコストを低下させ、かつ上記オファーに対する受容者の関心を刺激する蓋然性を高める。
【０００４】
いくつかの現行のシステムでは、オファーの配信は、ある地理的位置周辺にいる、通信用移動体端末を有するユーザ全てを標的とするものに限定されている。これらのシステムでは、このオファーに対するユーザの関心を、単に上記オファーに接近していること以上に考慮することはできない。
【０００５】
その他の現行のシステムでは、通信用移動体端末を有するユーザに対するオファー配信は、このオファーの内容に最も関心を持つであろうと発行者が考えるユーザのプロフィール（これはユーザが事前に定義する）に限定される。これらのシステムは、ユーザのプロフィールの中で利用可能な情報に基づいて、受容者をはるかに正確に標的化できるという利点を有する。
【０００６】
しかしながら、現行のシステムがそのプロフィール分析技術によって販売促進又は広告キャンペーンのコストを低減できる場合、上記システムによる配信の効力の測定は単なる想定にすぎない。更に、これらのシステムに関して標的化を改善する唯一の可能性は、各ユーザのプロフィールが提供される際に要求される情報を変更することによるもののみである。このような改善は、ユーザ側にある程度の努力を要求するため、ユーザの観点からすると押し付けがましいものである。
【０００７】
現行の技術的手段は：
−ユーザに対するオファーの最適な配信；
−オファーに対するユーザの反応の測定；及び
−ユーザプロフィールの標的化の非侵入型の改善
の制約に対して最適に反応できない。
【発明の概要】
【発明が解決しようとする課題】
【０００８】
本発明は、これらの欠点の全て又は一部を改善することを目的とする。
【課題を解決するための手段】
【０００９】
この目的のために本発明は、第１の態様によると、請求項１において定義される方法を想定する。
【００１０】
二部グラフによって実施される学習は、記録されている全てのユーザプロフィールに対して実施されるプロフィール分析を更に精密化できることを意味し、従って本方法を使用すればするほど正確になる標的化が可能となる。更にこのような方法により、ユーザが適用する処理に基づいて、配信される情報の関連度を測定でき、これによって、標的となったプロフィールに対するこの情報の効力を測定できる。最後にこれらの実施形態により、配信されることになる情報に基づいて、関心対象のユーザプロフィールに配信を限定できる。
【００１１】
いくつかの実施形態では、表示ステップ中に表示される各情報は空間座標に関連付けられ、この情報に関連付けられた空間座標に基づいてマップ上に表示される。
【００１２】
これらの実施形態は、ユーザが、ユーザに供給される情報の空間的配信をより良好に可視化できることによって利益を得られるという利点を有する。情報の地理的位置をより良好に可視化できることにより、この情報がユーザの関心を刺激する蓋然性が高まる。
【００１３】
いくつかの実施形態では、表示ステップ中に表示される各情報は、この情報に関連付けられた空間座標に基づいて、通信用移動体端末のスクリーン上に拡張現実表示される。
【００１４】
このような実施形態により、情報の位置の人間工学的な図をユーザ周辺に表示できる。更にこれらの実施形態により、情報に関連付けられた所定の位置にユーザが容易にアクセスできる。
【００１５】
いくつかの実施形態では、選択ステップ中に選択される情報は、関連付けられる空間座標が、通信ステップ（２１０）において伝送される地理的位置からの所定の最大地理的距離に位置するような情報に限定される。
【００１６】
これらの実施形態の利点は、ユーザの関心を刺激するには地理的に遠すぎる情報源に関連する情報がユーザの通信用移動体端末に押し寄せることがないようにすることができる点である。
【００１７】
いくつかの実施形態では、ジオロケーションステップは、ユーザが指定した少なくとも１つの場所を表す情報を供給し、選択ステップは、ユーザが指定した各場所を表す情報に基づいて実施される。
【００１８】
これらの実施形態により、ユーザは、ユーザが選択した場所周辺の、ユーザが関心のある情報を見ることができる。
【００１９】
いくつかの実施形態では、選択ステップ中に選択される情報は、関連付けられる空間座標が、通信ステップ中に伝送される地理的座標の最も近くに位置するような、所定の数に限定される。
【００２０】
これらの実施形態の利点は、最も関連度が高い情報のみをユーザの通信用移動体端末に配信できる点である。
【００２１】
いくつかの実施形態では、本発明の主題である方法は、ジオロケーションステップの上流に、ユーザがユーザの心的状態を定義するステップを含み、このために、サーバに保存された情報は、選択ステップ中の情報の選択に関連付けられた、上記選択を実施するために使用される心的状態インジケータを含む。
【００２２】
これらの実施形態は、ユーザが定義した心的状態に関連して更に精緻化された選択を実現でき、ユーザの関心を刺激する蓋然性が高まった情報を表示できるという利点を提供する。
【００２３】
いくつかの実施形態では、本発明の主題である方法は、ジオロケーションステップの上流に、ユーザが、配信されることになる情報のカテゴリを定義するステップを含み、このために、サーバに保存された情報は、選択ステップ中の情報の選択に関連付けられた、上記選択を実施するために使用されるカテゴリインジケータを含む。
【００２４】
これらの実施形態は、表示されることになる情報の、ユーザの嗜好に基づく更に精緻化された選択を実現でき、上記情報に関して、これがユーザの関心を刺激する蓋然性は高まっている。
【００２５】
いくつかの実施形態では、表示ステップ中に通信用移動体端末のスクリーン上に表示される情報は、情報を二部グラフでソートした結果に応じて決定された関連度インジケータを含む。
【００２６】
これらの実施形態は、この情報が興味深いものであることにユーザが気付く蓋然性をユーザに対して表示できるという利点を有する。
【００２７】
いくつかの実施形態では、選択ステップ中に選択される少なくとも１つの情報は、端末の位置を表す情報に基づいて検出された天候関連データに基づいて選択される。
【００２８】
これらの実施形態の利点は、通信用移動体端末を備えるユーザが経験する天候条件に基づく、より狭い範囲での情報の選択を可能とする点である。
【００２９】
いくつかの実施形態では、選択ステップ中に選択される少なくとも１つの情報は、端末の位置を表す情報に基づいて検出されたタイムスタンプに基づいて選択される。
【００３０】
これらの実施形態は、通信用移動体端末に関連付けられた時間座標に基づく、より狭い範囲での情報の選択を可能とするという利点を有する。
【００３１】
いくつかの実施形態では、事前に定義されたタイムスタンプデータは、時刻を含む。
【００３２】
これらの実施形態の利点は、実施される情報の選択を精緻化できる点である。
【００３３】
いくつかの実施形態では、事前に定義されたタイムスタンプデータは、曜日を含む。
【００３４】
これらの実施形態の利点は、実施される情報の選択を精緻化できる点である。
【００３５】
いくつかの実施形態では、事前に定義されたタイムスタンプデータは、日付を含む。
【００３６】
これらの実施形態の利点は、実施される情報の選択を精緻化できる点である。
【００３７】
いくつかの実施形態では、事前に定義されたタイムスタンプデータは、一般的な祝事の日付を含む。
【００３８】
これらの実施形態の利点は、実施される情報の選択を精緻化できる点である。
【００３９】
いくつかの実施形態では、事前に定義されたタイムスタンプデータは、記録されている個人データに基づいて算出された個人的なイベントを含む。
【００４０】
これらの実施形態の利点は、ユーザデータに基づいて、実施される情報の選択を精緻化できる点である。
【００４１】
本発明は、第２の態様によると、請求項１７において定義されるデバイスを想定する。
【００４２】
本デバイスの特定の特徴、利点、目的は、本発明の主題である方法の特徴、利点、目的と同様であるため、ここでは繰り返さない。
【００４３】
本発明の他の利点、目的、特徴は、添付書類に含まれる図面を参照した、本通信用移動体端末を備えるユーザに情報を配信するための方法及びデバイスの特定の実施形態に関する以下の説明から明らかになるであろう。
【図面の簡単な説明】
【００４４】
【図１】図１は、本発明の主題である方法の第１の特定の実施形態の複数のステップの論理図である。
【図２】図２は、本発明の主題である方法の第２の特定の実施形態の複数のステップの論理図である。
【図３】図３は、本発明の主題である方法の第３の特定の実施形態の複数のステップの論理図である。
【図４】図４は、本発明の主題であるデバイスの特定の実施形態の概略図である。
【図５】図５は、二部グラフの特定の実施形態の概略図である。
【発明を実施するための形態】
【００４５】
本説明は非限定的な例として与えられるものである。
【００４６】
グラフ理論において「二部グラフ（ｂｉｐａｒｔｉｔｅ  ｇｒａｐｈ）」とは、その全ての頂点が、各縁部が各サブセット内に１つの端部を有するように２つのサブセットに分割されたグラフであることに留意されたい。
【００４７】
なお、図面の縮尺は正確ではない。
【００４８】
図１は、本発明の主題である方法１０の第１の特定の実施形態を示す。この方法１０は、通信用移動体端末のユーザが、ユーザの端末に配信される情報のカテゴリを決定するステップ４５０を含む。これらのカテゴリは、端末のユーザプロフィールの生成又は編集中にユーザがドロップダウンリストから選択する。
【００４９】
これらの変形例では、このユーザプロフィールは情報として：
−ユーザの自宅の郵便番号；
−ユーザの生年月日；
−ユーザの電子アドレス；及び
−ユーザの性別
も含む。
【００５０】
この情報は、通信用移動体端末に組み込まれた及び／又はインターネットサイトを介した移動体アプリケーションの適切なフィールドをユーザが埋めることによって、メモリに入力されてサーバに通信される。
【００５１】
これらの変形例では、本方法１０は、通信用移動体端末のユーザがユーザの心的状態を決定するステップ４５５も含む。この心的状態は、本発明の主題である方法によって配信される情報を表示するために移動体アプリケーションを開くとすぐに提示される心的状態リストからユーザが選択する。
【００５２】
本方法１０は、ユーザが指示した場所の地理的座標をインターネット上で取得して、このようにして収集された情報を端末上に保存することによって、端末に組み込まれた地理的データの又はマップ上で指定された場所の収集装置を起動することにより、通信用移動体端末のジオロケーションを実施するステップ４０５も含む。このようなデータは、通信用移動体端末又は指定された場所の経度、緯度、高度を含む。このジオロケーションステップ４５０は、通信用移動体端末に接続されたリレーアンテナの座標も利用できる。
【００５３】
本方法１０は、通信用移動体端末が、過去に保存された地理的位置を表す情報と、いくつかの変形例ではユーザが定義した心的状態のインジケータとを通信するステップ４１０も含む。この通信ステップ４１０は、無線インターネットネットワークと移動電話ネットワークに組み込まれたデータネットワークとのために動作するアンテナを作動させ、保存されたジオロケーション情報を伝送することによって達成される。いくつかの変形例ではこの通信ステップ４１０は、例えばインターネット等の遠距離通信ネットワークによる、定義された心的状態インジケータのリモートサーバへの伝送を実施する。
【００５４】
本方法１０は次に、通信対象の端末の位置を表す情報と：
−各情報に関連付けられた、事前に定義された位置データ；
−上記情報に関連付けられた、天候関連データ；及び
−上記情報に関連付けられたタイムスタンプ
とに従って、サーバが保存している少なくとも１つの情報を選択するステップ４１５を含む。
【００５５】
通信用移動体端末の地理的座標に近い天候に関連するデータは、サーバが別のリモートサーバに気象環境に関する要求を発行することによって得られる。
【００５６】
この天候関連情報により、例えば通信用移動体端末の地理的座標が雨天である場合に商業的オファーを選択できる。
【００５７】
タイムスタンプは、通信用移動体端末が通信した最新のメッセージから、メッセージの発行のためのタイムスタンプデータを含むパケットを読み取ることによって得られる。いくつかの変形例では、タイムスタンプは、サーバが、通信用移動体端末の地理的座標における時刻及び日付を得るための要求を別のリモートサーバに発行することによって得られる。
【００５８】
情報に関連付けられたタイムスタンプは例えば、時刻、曜日及び／又は例えば１２月２４日等の一般的な祝事若しくはユーザの誕生日等の個人的な祝事の接近を含む。
【００５９】
サーバが保存しているこのような情報は、特定の店舗が利用可能な販売促進オファーであってよく、この販売促進オファーは、販売促進の性質を記述する文章及び画像と共に、上述のような販売促進を実施する店舗の住所又は地理的座標を含む。
【００６０】
いくつかの変形例では、保存されているこのような情報は、情報の生成中に定義される、例えば以下のような複数の関連する特徴のセットを含む：
−ユーザの性別；
−情報に関連付けられた心的状態インジケータ；
−情報のカテゴリ；及び
−このような情報が標的とするユーザの年齢。
【００６１】
このような情報の記憶は、サーバ上に配置されたデータベースを事前設定することにより達成される。上記ステップ４１５では、サーバ上のコンピュータプログラムは、保存されている各情報に関して、上記情報（販売促進が実施されている店舗の位置等）に関連付けられた地理的座標を、通信用移動体端末によって送信された地理的座標と比較して、受信した地理的座標に最も近接し、かつ事前に定義された最大距離より小さい座標を有する、事前に定義された最大個数の上記保存された情報を選択する。
【００６２】
本方法１０は、通信用移動体端末のユーザのプロフィールに従って、選択された情報をフィルタリングするステップ４２０を含む。このユーザプロフィールは、情報として：
−ユーザの生年月日；及び
−ユーザの性別
を含む。
【００６３】
この情報は、通信用移動体端末に組み込まれた及び／又はインターネットサイトを介した移動体アプリケーションの適切なフィールドをユーザが埋めることによって、メモリに入力されてサーバに通信される。サーバはユーザの心的状態フィールドを受信する。このフィルタリングステップ４２０はサーバ上のコンピュータプログラムによって実施され、このコンピュータプログラムは、通信用移動体端末のユーザプロフィールを、保存された情報の特徴と比較して、ユーザプロフィールによって供給される情報に特徴が対応する上記保存された情報を選択する。
【００６４】
いくつかの変形例では、フィルタリングステップ４２０は：
−ユーザの電子アドレス；
−ユーザの心的状態；及び
−ユーザの郵便番号
のうちの少なくとも１つの情報に基づいて、選択された情報をフィルタリングする。
【００６５】
特にジオロケーションステップが実施されない場合は、郵便番号情報を使用する。
【００６６】
本方法１０は、フィルタリングされた情報を二部グラフによってソートするステップ４２５も含む。このソートステップ４２５では、二部グラフは、ユーザがユーザの通信用移動体端末上に過去に表示された情報に対して実施した処理の履歴の分析に基づいて、ソートを実施する。このようにして二部グラフによって分析される処理は、二部グラフにより分析された情報と同様の特性を有する情報に基づいた以下のものを含む：
−ユーザが行った購入；
−ユーザによる情報の共有；
−ユーザによって各場所に割り当てられた評価；
−ユーザによって各情報に割り当てられた評価；
−ユーザによる情報の削除；及び
−現在のユーザと同一のプロフィールを有するユーザが実施した処理。分析された各挙動は計算式に代入され、その結果は、フィルタリングされた情報をソートするための基礎として役立つ。例えば、過去に表示された商業的オファーが購入につながり、フィルタリングされたオファーのうちの１つが同様の特性を有する場合、このフィルタリングされたオファーは、購入につながったとは言え共通の特性を全く有さない別のオファーよりも、リスト内で上位に配置される。
【００６７】
例えば、使用するデータベースに関して、二部グラフの使用により計算速度を最適化できる。使用される二部グラフにおいて、頂点の第１の群は各ユーザを表し、頂点の第２の群は空間的及び時間的データを含む積を表す。例えば商業的オファーは、時間に関して及びある地理的領域に制限される。
【００６８】
この二部グラフでは、ユーザと商業的オファーとの間の弧は、ユーザがある商業的オファーに対して実施した処理を表す。いわゆる「セマンティックな（ｓｅｍａｎｔｉｃ）」推薦を生成する、商業的オファー間の類似性は、これらのオファーを表す頂点間の弧によって表現される。複数のユーザがある情報に対して実施した処理に基づく商業的オファー間の類似性は、これらのユーザを表す頂点間のアークによって表される。
【００６９】
図５は、ソートステップ４２５において使用されるような二部グラフの特定の例を示す。この二部グラフでは、左側の頂点５０５、５１０、５１５、５２０はユーザを表し、右側の頂点５２５、５３０、５３５、５４０は商業的オファーを表す。ユーザ５０５を別のユーザ５１０と結び付ける弧５４５は、これら２人のユーザ５０５、５１０間の関係リンクを表す。このようなリンクは例えば、２人のユーザ５０５、５１０間にリンクを確立できるソーシャルネットワークからデータを得ることによって得ることができる。弧５５０は、ユーザ５０５、５１０、５１５、５２０が商業的オファー５２５、５３０、５３５、５４０に対して実施した処理を表す。この例では、実施された各処理は提案されたオファーを承認するものであったと考えられるが、他の場合においては、この処理はオファーを拒絶することもできる。弧５５５は、２つのオファーの特性間の類似性を表す。このような特性は例えば、オファーの配信のために好ましいタイムスタンプ、共通の積又は天候に関係する環境であってよい。
【００７０】
この例では、図１に示した方法を用いてウェブサイトに接続し、商業的オファー５３０に対して肯定的な処理５５０を実施するユーザ５１０の場合について特に考慮されている。選択ステップ４１５の間、サーバは例えば１０個のオファーを選択し、そのうちの６個は、ユーザ５１０が受信を望んでいる商業的オファーに適合しないため、フィルタリングステップ４２０中にフィルタリングされる。
【００７１】
残りの４個の商業的オファー５２５、５３０、５３５、５４０のうち、商業的オファー５３０、５２５は何らかの特性の類似性を有しており、商業的オファー５３０、５３５はその他の特性の類似性、又は同じ特性の類似性を有している。商業的オファー５４０は、ユーザ５１０の通信用移動体端末が伝送する座標に近い地理的座標を有していることを除いて、他の商業的オファー５２５、５３０、５３５とは特性の類似性を有していない。
【００７２】
ユーザ５１０が商業的オファー５３０に対して実施した処理５５０を保存する二部グラフは、その他の商業的オファー５２５、５３５、５４０のそれぞれに接触するアークの数を比較する。ソートステップ４２５の間に、サーバはこの二部グラフを走査して：
−商業的オファー５２５には３つの弧が接触していること；
−商業的オファー５３５には３つの弧が接触していること；及び
−商業的オファー５４０には１つの弧が接触していること
を発見する。
【００７３】
従ってオファー５４０は、実施されるソートにおいて最後に配置される。商業的オファー５２５が、標的ユーザ５１０との関係５４５を有するユーザ５０５からの弧のうちの１つを有する場合、商業的オファー５２５は、ユーザ５１０に対してより高い関連度を有するものと考えられる。従ってソートステップ５２４は、商業的オファー５２５を第１の場所に配置し、その次に商業的オファー５３５、そして最後に商業的オファー５４０を配置する。
【００７４】
各弧は、事前に定義された関連度に基づいて重み付けできる。
【００７５】
また、本方法１０は遠距離通信ネットワーク（例えばインターネット）を用いて、ソートされた情報をサーバから通信用移動体端末に伝送するステップ４３０も含む。
【００７６】
本方法１０は、以下のリスト：
−ソートステップ４２５において定義された順序に従ったリストにおける表示；
−マップ上へのジオロケーション表示；又は
−拡張現実ジオロケーション表示；
からのユーザの選択に基づいて表示されるソートされた情報を、通信用移動体端末のスクリーン上に、表示される各情報に関連付けられた関連度の（例えば情報のタイトルに続く多数のハート型の形態の）インジケータと共に表示するステップ４３５を含む。
【００７７】
本方法１０はまた、ユーザと端末との対話に従って、表示された各情報に対してユーザが適用する処理を決定するステップ４４０も含む。このような処理については既に詳述しており、これら処理は二部グラフによって分析される処理に対応する。ユーザと端末との対話は、以下の形態を取ることができる：
−スクリーン上を押圧すること；
−ボタンを押圧すること；
−（例えばスタイラスを用いて）スクリーンと接触すること；又は
−音声命令。
【００７８】
最後に本方法１０は、表示された各情報に対してユーザが適用する処理に従って、二部グラフによって学習するステップ４４５を含む。この学習は、表示された各情報に対してユーザが適用する処理を構成する経験的データに基づいて、二部グラフの分析及び挙動を展開させる、一連のプログラムされた複数の方法である。
【００７９】
定義ステップ４５５の変形例では、心的状態は、決定ステップ４５０中に選択されたカテゴリとは独立して配信するための、決定ステップ４５０で定義されるようなカテゴリのドロップダウンリストからの選択によって表される、その瞬間におけるユーザの欲求を含むことができる。これらの変形例では、このようにして選択されたカテゴリは、決定ステップ４５０中に選択されたカテゴリの代替となるか、又は追加の選択を実施する。
【００８０】
表示ステップ４３５のいくつかの変形例では、ソートされた情報のうちの一部、例えば事前に定義された数だけが表示され、ソートされた情報全てが表示されない。これらの変形例では、表示ステップ４３５の間、ユーザは、タイトル、情報の内容、店舗の名称、関連付けられたブランド及び情報カテゴリ中のキーワードを検索する機能を利用して、ユーザが入手したい、上記と同一の事前に定義された数の情報を表示できる。この検索は、通信用移動体端末上で及びコンピュータ検索プログラムを介してフィールドを埋めることによって実施される。続いてその結果が、関連度のインジケータの順序で表示される。
【００８１】
他の変形例では、ユーザは、表示ステップ４３５のいずれの時点において、その瞬間に表示されている内容と関連する（テキスト、音声及び／又はグラフィックスによる）補助を表示できる。これらの変形例では、この表示は、ユーザと通信用移動体端末との対話（例えば端末の意図的な振動、ボタンの押圧、スクリーン上の押圧、スクリーンとの接触及び／又は音声命令）に左右される。
【００８２】
表示された各情報に対してユーザが適用する処理を決定するステップ４４０のいくつかの変形例では、表示された情報は、ユーザが適用する処理に基づいて、通信用移動体端末上に保存される。このような変形例では、情報に対するユーザの関心を表す処理のみが、通信用移動体端末上への保存につながる。いくつかの変形例では、保存された情報は、通信用移動体端末がこの情報に関連付けられた座標に地理的に近接している場合に表示される。
【００８３】
ここで、図１に示す方法１０の使用例を説明する：
本方法により、オファーのセマンティックな分析によって：
−「性別」、「年齢」という１対の情報によって識別される特定の群内において；
−例えば国又は地域等の地域背景において；
−雨天若しくは晴天、若しくは気温等の、特定の天候に関連する環境において；及び／又は
−週の初め、休暇中、年末、朝若しくは夜等の特定の期間において、
このオファーが特定の反応を受信する時を検出できる。
【００８４】
この環境の全て又は一部を再現することにより、類似性の背景を形成し、これは記録された他の商業的オファーのプロフィールに関するその他の類似性の基準を強化する。
【００８５】
従って本方法は、通信用移動体端末を用いた「捕捉（ｃａｐｔｕｒｉｎｇ）」挙動のステップを使用し、これにより、プロフィール番号によって通信用移動体端末を識別することにより、最初にユーザのジオロケーションを得ることができ、従って周囲の天候に関連する環境を得ることができる。
【００８６】
このプロフィールが分かっていない場合、第１の接続の間に、通信用移動体端末の周辺の天候関連環境、所定の場所のあるコミュニティの、その瞬間における欲求、及び通信用移動体端末のユーザの年齢及び性別情報が分かっている場合は年齢範囲及び特定の性別に関する、一般的な背景のみに基づいて、商業的オファーの提案が通信用移動体端末に送信される。
【００８７】
プロフィールが認識されている場合、ユーザの最後のアクションを学習した二部グラフを用いることにより、ユーザが自発的に供給するデータが極めて少なくても、関連度が極めて高い商業的オファーを提案できる。
【００８８】
上記プロフィールは商業的オファーを受信し、例えばその商業的オファーを拒絶する、選択する、メモする、共有する若しくは訪問することによって、又はこのオファーの対象物を購入することによって、反応するか又は反応しない。この反応又は反応の不在は、反応を分析及び解釈するエンジンを駆動し、これにより、二部グラフの上記プロフィールに関連付けられた嗜好を学習できる。
【００８９】
通信用移動体端末を介した各ユーザの全挙動は、プロフィールの嗜好に関する二部グラフの知識を豊かにし、各時点においてジオロケーション、タイムスタンプ及び天候関連環境データを含む背景に関連付けられる。
【００９０】
例えば３９歳の女性は、夏季休暇中のある月曜日に、フロリダにおいて晴天時に、彼女のスマートフォンを用いてアプリケーションを起動する。この女性は場合によっては、上記アプリケーションが行う推薦を既に受信して反応している。
【００９１】
この具体的な背景において、二部グラフは、過去に提案したオファーに関して実施された処理に従って、上述のような時点が、日焼け止めを含む抗しわ化粧品をこの特定の標的に対して提案するのに理想的な時点であることを学習している。というのは、特に４６％の女性が自身が最も魅力的でないと感じる月曜日の朝に、上記標的はこの種の推薦に関心を持つためである。この女性が上記アプリケーションを木曜日に起動した場合、二部グラフは、過去に提案したオファーに関して実施された処理に従って、月曜日とは対照的に木曜日にはこの対象が自分自身をより魅力的であると感じていることを学習しているため、別のより大胆な商業的オファーを提案することになる。
【００９２】
このような方法により、プロフィール分析を実施して、より良好に標的化され、より高い関連度を有する、従ってより受け入れられやすい推薦を生成できる。これらの推薦は通信用移動体端末上に、場合によっては拡張現実表示で表示され、続いてある形式のダイアログと、これらの推薦に反応する挙動の分析とが確立され、これによってプロフィールに関する知識が豊富になり、またコミュニティ全体のために役立つ。
【００９３】
図２は、本発明の主題である方法２０の第２の特定の実施形態である。本方法２０もまた、端末に組み込まれ、端末上で収集された情報を保存する、地理的データの収集装置を起動することによって、通信用移動体端末のジオロケーションを実施するステップ１０５を含む。このようなデータは、通信用移動体端末の経度、緯度、高度を含む。
【００９４】
本方法２０もまた、通信用移動体端末が、過去に保存された地理的位置を表す情報を通信するステップ１１０を含む。この通信ステップ１１０は、（無線インターネットネットワークと移動電話ネットワークに組み込まれたデータネットワークとのために動作する）アンテナを作動させ、例えばインターネット等の遠距離通信ネットワークによって、保存されたジオロケーション情報をリモートサーバに伝送することによって達成される。
【００９５】
本方法２０は次に、通信対象の端末の位置を表す情報と、各情報に関連付けられた位置データとに従って、サーバが保存している少なくとも１つの情報を選択するステップ１１５を含む。サーバが保存しているこのような情報は、特定の店舗が利用可能な販売促進オファーであってよく、この販売促進オファーは、販売促進の性質を記述する一連の文章及び画像と共に、上述のような販売促進を実施する店舗の住所又は地理的座標を含む。更にこの保存されたデータは、情報の生成中に定義される、例えば以下のような複数の関連する特性のセットを含む：
−ユーザの性別；及び
−このような情報が標的とするユーザの年齢。
【００９６】
このような情報の記憶は、サーバ上に配置されたデータベースを事前設定することにより達成される。上記ステップ１１５では、サーバ上のコンピュータプログラムは、保存されている各情報に関して、上記情報（販売促進が実施されている店舗の位置等）に関連付けられた地理的座標を、通信用移動体端末から受信した地理的座標と比較して、受信した地理的座標に最も近接した座標を有する上記保存された情報を選択する。
【００９７】
本方法２０は、通信用移動体端末のユーザのプロフィールに従って、選択された情報をフィルタリングするステップ１２０を含む。このユーザプロフィールは、情報として：
−ユーザの生年月日；及び
−ユーザの性別
を含む。
【００９８】
この情報は、通信用移動体端末に組み込まれた及び／又はインターネットサイトを介した移動体アプリケーションの適切なフィールドをユーザが埋めることによって、メモリに入力されてサーバに通信される。このフィルタリングステップ１２０はサーバ上のコンピュータプログラムによって実施され、このコンピュータプログラムは、通信用移動体端末のユーザプロフィールを、保存された情報の特徴と比較して、ユーザプロフィールによって供給される情報に特徴が対応する上記保存された情報を選択する。
【００９９】
いくつかの変形例では、フィルタリングステップ１２０は：
−ユーザの電子アドレス；
−ユーザの心的状態；及び
−ユーザの郵便番号
のうちの少なくとも１つの情報に基づいて、選択された情報をフィルタリングする。
【０１００】
本方法２０は、フィルタリングされた情報をニューラルネットワークによってソートするステップ１２５も含む。ニューラルネットワーク（又は人工ニューラルネットワーク）は、確率論的学習方法によって最適化できるプログラムされた計算モデルである。これらの学習方法もまたプログラムされており、上記学習方法により、ニューラルネットワークを経験的データに基づくその分析及び挙動に適合させることができる。このソートステップ１２５では、ニューラルネットワークは、ユーザが実施した、ユーザの通信用移動体端末上に過去に表示された情報の処理の履歴の分析に基づいて、ソートを実施する。このようにしてニューラルネットワークによって分析される処理は、ニューラルネットワークにより分析された情報と同様の特性を有する情報に基づいた以下のものを含む：
−ユーザが行った購入；
−ユーザによる情報の共有；
−ユーザによって各場所に割り当てられた評価；
−ユーザによって各情報に割り当てられた評価；
−ユーザによる情報の削除；及び
−現在のユーザと同一のプロフィールを有するユーザが実施した処理。分析された各挙動は計算式に代入され、その結果は、フィルタリングされた情報をソートするための基礎として役立つ。例えば、過去に表示された商業的オファーが購入につながり、フィルタリングされたオファーのうちの１つが同様の特性を有する場合、このフィルタリングされたオファーは、購入につながったとは言え共通の特性を全く有さない別のオファーよりも、リスト内で上位に配置される。
【０１０１】
本方法２０は、遠距離通信ネットワーク（例えばインターネット）を用いて、ソートされた情報をサーバから通信用移動体端末に伝送するステップ１３０も含む。
【０１０２】
本方法２０は、ソートステップ１２５で定義された順序に従ったリスト内の、ソートされ伝送ステップ１３０中に伝送された情報を、通信用移動体端末のスクリーン上に表示するステップ１３５を含む。
【０１０３】
本方法２０はまた、ユーザと端末との対話に従って、表示された各情報に対してユーザが適用する処理を決定するステップ１４０も含む。このような処理については既に詳述しており、これら処理はニューラルネットワークによって分析される処理に対応する。ユーザと端末との対話は、以下の形態を取ることができる：
−スクリーン上を押圧すること；
−ボタンを押圧すること；
−（例えばスタイラスを用いて）スクリーンと接触すること；又は
−音声命令。
【０１０４】
最後に本方法２０は、表示された各情報に対してユーザが適用する処理に従って、ニューラルネットワークによって学習するステップ１４５を含む。この学習は、表示された各情報に対してユーザが適用する処理を構成する経験的データに基づいて、ニューラルネットワークの分析及び挙動を展開させる、一連のプログラムされた複数の方法である。
【０１０５】
図３は、本発明の主題である方法３０の第３の特定の実施形態を示す。この方法３０は、通信用移動体端末のユーザが、ユーザの端末に配信される情報のカテゴリを決定するステップ２５０を含む。これらのカテゴリは、端末のユーザプロフィールの生成又は編集中にユーザがドロップダウンリストから選択する。このユーザプロフィールは情報として：
−ユーザの自宅の郵便番号；
−ユーザの生年月日；
−ユーザの電子アドレス；及び
−ユーザの性別
も含む。
【０１０６】
この情報は、通信用移動体端末に組み込まれた及び／又はインターネットサイトを介した移動体アプリケーションの適切なフィールドをユーザが埋めることによって、メモリに入力されてサーバに通信される。
【０１０７】
これらの変形例では、本方法３０は、通信用移動体端末のユーザがユーザの心的状態を決定するステップ２５５も含む。この心的状態は、本発明の主題である方法によって配信される情報を表示するために移動体アプリケーションを開くとすぐに提示される心的状態リストからユーザが選択する。
【０１０８】
本方法３０は、ユーザが指示した場所の地理的座標をインターネット上で取得して、このようにして収集された情報を端末上に保存することによって、端末に組み込まれた地理的データの又はマップ上で指定された場所の収集装置を起動することにより、通信用移動体端末のジオロケーションを実施するステップ２０５も含む。このようなデータは、通信用移動体端末又は指定された場所の経度、緯度、高度を含む。
【０１０９】
本方法３０は、通信用移動体端末が、過去に保存された地理的位置を表す情報と、ユーザが定義した心的状態のインジケータとを通信するステップ２１０も含む。この通信ステップ２１０は、（無線インターネットネットワークと移動電話ネットワークに組み込まれたデータネットワークとのために動作する）アンテナを作動させ、例えばインターネット等の遠距離通信ネットワークによって、保存されたジオロケーション情報及び定義された心的状態のインジケータをリモートサーバに伝送することによって達成される。
【０１１０】
本方法３０は次に、通信される位置を表す情報と、各情報に関連付けられた、事前に定義された位置データとに従って、サーバが保存している少なくとも１つの情報を選択するステップ２１５を含む。サーバが保存しているこのような情報は、特定の店舗が利用可能な販売促進オファーであってよく、この販売促進オファーは、販売促進の性質を記述する文章及び画像と共に、上述のような販売促進を実施する店舗の住所又は地理的座標を含む。更にこの保存された情報は、情報の生成中に定義される、例えば以下のような複数の関連する特徴のセットを含む：
−ユーザの性別；
−情報に関連付けられた心的状態インジケータ；
−情報のカテゴリ；
−このような情報が標的とするユーザの年齢；
−この情報に関連付けられた、天候関連データ；及び
−この情報に関連付けられたタイムスタンプ。
【０１１１】
通信用移動体端末の地理的座標に近い天候に関連するデータは、サーバが別のリモートサーバに気象環境に関する要求を発行することによって得られる。
【０１１２】
この天候関連情報により、例えば通信用移動体端末の地理的座標が雨天である場合に商業的オファーを選択できる。
【０１１３】
タイムスタンプは、通信用移動体端末が通信した細心のメッセージから、メッセージの発行のためのタイムスタンプデータを含むパケットを読み取ることによって得られる。いくつかの変形例では、タイムスタンプは、サーバが、通信用移動体端末の地理的座標における時刻及び日付を得るための要求を別のリモートサーバに発行することによって得られる。
【０１１４】
情報に関連付けられたタイムスタンプは例えば、時刻、曜日及び／又は例えば１２月２４日等の一般的な祝事若しくはユーザの誕生日等の個人的な祝事の接近を含む。
【０１１５】
このような情報の記憶は、サーバ上に配置されたデータベースを事前設定することにより達成される。上記ステップ２１５では、サーバ上のコンピュータプログラムは、保存されている各情報に関して、上記情報（販売促進が実施されている店舗の位置等）に関連付けられた地理的座標を、通信用移動体端末によって送信された地理的座標と比較して、受信した地理的座標に最も近接し、かつ事前に定義された最大距離より小さい座標を有する、事前に定義された最大個数の上記保存された情報を選択する。
【０１１６】
本方法３０は、通信用移動体端末のユーザのプロフィールに従って、選択された情報をフィルタリングするステップ２２０を含む。このユーザプロフィールは、情報として：
−ユーザの生年月日；及び
−ユーザの性別
を含む。
【０１１７】
この情報は、通信用移動体端末に組み込まれた及び／又はインターネットサイトを介した移動体アプリケーションの適切なフィールドをユーザが埋めることによって、メモリに入力されてサーバに通信される。サーバはユーザの心的状態フィールドを受信する。このフィルタリングステップ２２０はサーバ上のコンピュータプログラムによって実施され、このコンピュータプログラムは、通信用移動体端末のユーザプロフィールを、保存された情報の特徴と比較して、ユーザプロフィールによって供給される情報に特徴が対応する上記保存された情報を選択する。
【０１１８】
いくつかの変形例では、フィルタリングステップ２２０は：
−ユーザの電子アドレス；
−ユーザの心的状態；及び
−ユーザの郵便番号
のうちの少なくとも１つの情報に基づいて、選択された情報をフィルタリングする。
【０１１９】
本方法３０は、フィルタリングされた情報をニューラルネットワークによってソートするステップ２２５も含む。このソートステップ２２５では、ニューラルネットワークは、ユーザが実施した、ユーザの通信用移動体端末上に過去に表示された情報の処理の履歴の分析に基づいて、ソートを実施する。このようにしてニューラルネットワークによって分析される処理は、ニューラルネットワークにより分析された情報と同様の特性を有する情報に基づいた以下のものを含む：
−ユーザが行った購入；
−ユーザによる情報の共有；
−ユーザによって各場所に割り当てられた評価；
−ユーザによって各情報に割り当てられた評価；
−ユーザによる情報の削除；及び
−現在のユーザと同一のプロフィールを有するユーザが実施した処理。分析された各挙動は計算式に代入され、その結果は、フィルタリングされた情報をソートするための基礎として役立つ。例えば、過去に表示された商業的オファーが購入につながり、フィルタリングされたオファーのうちの１つが同様の特性を有する場合、このフィルタリングされたオファーは、購入につながったとは言え共通の特性を全く有さない別のオファーよりも、リスト内で上位に配置される。
【０１２０】
本方法３０はまた、遠距離通信ネットワーク（例えばインターネット）を用いて、ソートされた情報をサーバから通信用移動体端末に伝送するステップ２３０も含む。
【０１２１】
本方法３０は、以下のリスト：
−ソートステップ２２５において定義された順序に従ったリストにおける表示；
−マップ上へのジオロケーション表示；又は
−拡張現実ジオロケーション表示；
からのユーザの選択に基づいて表示されるソートされた情報を、通信用移動体端末のスクリーン上に、表示される各情報に関連付けられた関連度の（例えば情報のタイトルに続く多数のハート型の形態の）インジケータと共に表示するステップ２３５を含む。
【０１２２】
本方法３０はまた、ユーザと端末との対話に従って、表示された各情報に対してユーザが適用する処理を決定するステップ２４０も含む。このような処理については既に詳述しており、これら処理はニューラルネットワークによって分析される処理に対応する。ユーザと端末との対話は、以下の形態を取ることができる：
−スクリーン上を押圧すること；
−ボタンを押圧すること；
−（例えばスタイラスを用いて）スクリーンと接触すること；又は
−音声命令。
【０１２３】
最後に本方法３０は、表示された各情報に対してユーザが適用する処理に従って、ニューラルネットワークによって学習するステップ２４５を含む。この学習は、表示された各情報に対してユーザが適用する処理を構成する経験的データに基づいて、ニューラルネットワークの分析及び挙動を展開させる、一連のプログラムされた複数の方法である。
【０１２４】
定義ステップ２５５の変形例では、心的状態は、決定ステップ２５０中に選択されたカテゴリとは独立して配信するための、決定ステップ２５０で定義されるようなカテゴリのドロップダウンリストからの選択によって表される、その瞬間におけるユーザの欲求を含むことができる。これらの変形例では、このようにして選択されたカテゴリは、決定ステップ２５０中に選択されたカテゴリの代替となるか、又は追加の選択を実施する。
【０１２５】
表示ステップ２３５のいくつかの変形例では、ソートされた情報のうちの一部、例えば事前に定義された数だけが表示され、ソートされた情報全てが表示されない。これらの変形例では、表示ステップ２３５の間、ユーザは、タイトル、情報の内容、店舗の名称、関連付けられたブランド及び情報カテゴリ中のキーワードを検索する機能を利用して、ユーザが入手したい、上記と同一の事前に定義された数の情報を表示できる。この検索は、通信用移動体端末上で及びコンピュータ検索プログラムを介してフィールドを埋めることによって実施される。続いてその結果が、関連度のインジケータの順序で表示される。
【０１２６】
他の変形例では、ユーザは、表示ステップ２３５のいずれの時点において、その瞬間に表示されている内容と関連する（テキスト、音声及び／又はグラフィックスによる）補助を表示できる。これらの変形例では、この表示は、ユーザと通信用移動体端末との対話（例えば端末の意図的な振動、ボタンの押圧、スクリーン上の押圧、スクリーンとの接触及び／又は音声命令）に作用される。
【０１２７】
表示された各情報に対してユーザが適用する処理を決定するステップ２４０のいくつかの変形例では、表示された情報は、ユーザが適用する処理に基づいて、通信用移動体端末上に保存される。このような変形例では、情報に対するユーザの関心を表す処理のみが、通信用移動体端末上への保存につながる。いくつかの変形例では、保存された情報は、通信用移動体端末がこの情報に関連付けられた座標に地理的に近接している場合に表示される。
【０１２８】
図４は、本発明の主題であるデバイス４０の特定の実施形態を示す。本デバイス４０は、端末３０５のジオロケーションを実施する手段３１０を備える通信用移動体端末３０５を備え、この手段３０５は、例えばＧＰＳチップ及びこれに関連付けられたコントローラ等の、グラフィカルデータの収集装置の形態を取ってよい。通信用移動体端末３０５はまた、ユーザと端末３０５との対話に従って、表示された各情報に対してユーザが適用する処理を決定する手段３５０も備える。この手段３５０は、ユーザと端末３０５との対話を捕捉するアプリケーションの形態を取る。この通信用移動体端末３０５は更に、通信用移動体端末３０５のスクリーン３４５上に表示する手段３５５（スクリーンコントローラ等）を備える。最後にこの通信用移動体端末３０５は、通信用移動体端末３０５によって、例えばインターネット等の遠距離通信ネットワーク３２０によってアクセス可能なサーバ３２５に通信する手段３１５（無線インターネットアンテナ又は移動電話ネットワークのデータネットワークのアンテナ）を備える。
【０１２９】
本デバイス４０はまた、メインメモリ、プログラムメモリ、コントローラを備えるサーバ３２５も備える。このサーバ３２５はまた、端末３０５の位置を表す情報と、各情報に関連付けられた、事前に定義された位置データとに従って、データベースに保存された情報の少なくとも１つを選択する手段３３０（例えばプログラム）も備える。更にこのサーバ３２５は、通信用移動体端末３０５のユーザのプロフィールに基づいて、選択された各情報をフィルタリングする手段３６０を備え、この手段３６０もまたコンピュータプログラムの形態である。最後にこのサーバ３２５は、フィルタリングされた情報をソートするよう構成されたニューラルネットワーク又は二部グラフ３４５と、インターネットネットワークへの有線接続及びこのようなネットワークに関連付けられたコントローラ等の、ソートされた情報を通信用移動体端末に伝送する手段３３５とを備える。
【図１】
2015535102.tif 000003
【図２】
2015535102.tif 000004
【図３】
2015535102.tif 000005
【図４】
2015535102.tif 000006
【図５】
2015535102.tif 000007
【国際調査報告】
2015535102.tif 000008
2015535102.tif 000009
2015535102.tif 000010
2015535102.tif 000011
2015535102.tif 000012
2015535102.tif 000013
2015535102.tif 000014
2015535102.tif 000015